(57)【要約】【課題】記録媒体に記録する複数の画像に対して、その表示順序を並べ替える等の各種の編集処理を行った場合において、これまでより処理時間を短縮し、かつ記録媒体の必要容量を小さくする。【解決手段】撮像した複数の原画像と、複数の原画像を再生装置により表示させる順序を記録したアルバム情報ファイルとのそれぞれを、別個のファイルとして記録媒体に記録する撮像装置２０であって、被写体を撮像して原画像を生成する撮像部２００と、複数の原画像を表示する表示順序を利用者から入力する入力部２１０と、入力部２１０により入力された表示順序をアルバム情報ファイルとして記録するファイル記録部２３０と、原画像の出力要求に応じて原画像およびアルバム情報ファイルの組を出力して、記録媒体に記録させる画像出力部２５０とを備える撮像装置２０を提供する。【選択図】図３
2006311146.tif 000002
【特許請求の範囲】
【請求項１】
撮像した複数の原画像と、前記複数の原画像を再生装置により表示させる順序を記録したアルバム情報ファイルとのそれぞれを、別個のファイルとして記録媒体に記録する撮像装置であって、
被写体を撮像して原画像を生成する撮像部と、
複数の原画像を表示する表示順序を利用者から入力する入力部と、
前記入力部により入力された表示順序をアルバム情報ファイルとして記録するファイル記録部と、
原画像の出力要求に応じて原画像およびアルバム情報ファイルの組を出力して、前記記録媒体に記録させる画像出力部と
を備える撮像装置。
【請求項２】
前記記録媒体は、前記複数の原画像と、前記アルバム情報ファイルとのそれぞれを、別個のファイルとして前記記録媒体に記録させるＰｉｃｔｕｒｅ  Ａｒｃｈｉｖｅ  Ａｎｄ  Ｓｈａｒｉｎｇ  Ｓｙｓｔｅｍ規格に準拠しており、
前記画像出力部は、原画像およびアルバム情報ファイルを出力し、Ｐｉｃｔｕｒｅ  Ａｒｃｈｉｖｅ  Ａｎｄ  Ｓｈａｒｉｎｇ  Ｓｙｓｔｅｍ規格に準拠したフォーマットで前記記録媒体に記録させる
請求項１記載の撮像装置。
【請求項３】
前記ファイル記録部は、前記入力部が原画像の並べ替え操作を入力したことに応じて、並べ替え後の前記原画像の表示順序を示すアルバム情報ファイルを記録する
請求項１記載の撮像装置。
【請求項４】
前記ファイル記録部は、前記入力部が原画像の選択操作を入力したことに応じて、当該選択操作により選択された原画像へのパスを含むアルバム情報ファイルを記録し、
前記画像出力部は、選択された原画像および選択されていない原画像を含む前記複数の原画像と、選択された原画像の表示順序を記録したアルバム情報ファイルとを、前記記録媒体に記録するべく出力する
請求項１記載の撮像装置。
【請求項５】
前記入力部がトリミング操作または回転操作を入力したことに応じて、入力された操作に基づいて原画像を変換する画像変換部を更に備え、
前記画像出力部は、前記画像変換部により変換された原画像を出力する
請求項１記載の撮像装置。
【請求項６】
原画像を分類したグループ毎に当該グループに含まれる原画像を順次表示する旨を記録した、複数のアルバム情報ファイルの各々を生成するファイル生成部を更に備え、
前記画像出力部は、前記ファイル生成部により生成された前記複数のアルバム情報ファイル、および、前記複数の画像を出力する
請求項１記載の撮像装置。
【請求項７】
前記複数の原画像の各々について、当該原画像をより低い解像度に変換した表示用画像を生成する表示用画像生成部と、
前記表示用画像生成部により生成された表示用画像を表示する表示用画像表示部と、
前記表示用画像表示部により表示された一の表示用画像を指定して前記入力部により編集操作が入力された場合に、当該一の表示用画像を変換して前記表示用画像表示部に表示させる表示用画像変換部と
を更に備え、
前記ファイル記録部は、前記入力部により入力された編集操作を、前記一の表示用画像に対応する原画像に対する編集操作としてアルバム情報ファイルに記録する
請求項１記載の撮像装置。
【請求項８】
前記画像出力部は、出力要求に基づき出力すべき原画像のうち、既に前記記録媒体に記録されている原画像を除外したその他の原画像を出力し、出力要求に基づき出力すべき原画像のうち既に前記記録媒体に記録されている前記原画像へのパスを、アルバム情報ファイルに含めて出力する
請求項１記載の撮像装置。
【請求項９】
撮像した複数の原画像と、前記複数の原画像を再生装置により表示させる順序を記録したアルバム情報ファイルとのそれぞれを、別個のファイルとして記録媒体に記録する撮像装置の制御方法であって、
被写体を撮像して原画像を生成する段階と、
複数の原画像を表示する表示順序を利用者から入力する段階と、
入力された表示順序をアルバム情報ファイルとして記録する段階と、
原画像の出力要求に応じて原画像およびアルバム情報ファイルの組を出力して、前記記録媒体に記録させる段階と
を備える制御方法。
【発明の詳細な説明】
【技術分野】
【０００１】
本発明は、撮像装置および制御方法に関する。特に、本発明は、撮像した原画像その他の制御情報を記録媒体に記録させるべく出力する撮像装置および制御方法に関する。
【背景技術】
【０００２】
近年、デジタルカメラと大容量の記録媒体とが比較的安価に入手できるため、営業目的のみならず個人的な利用においても大量の画像を撮像・管理することが一般的になってきている。大量の画像を見やすいアルバムとして閲覧可能とするために、従来、画像をグループに分類したり、画像を閲覧し易い順序に並べ替えたり、画像に対してトリミングや回転等の処理を行って画像自体を変換して記録媒体に記録することが行われている。一例として、指定された順序で画像を閲覧させるために、当該順序で画像を順次表示する動画データ、例えばＶｉｄｅｏＣＤ規格に準拠した動画データを記録媒体に記録する技術が用いられている。これにより、画像閲覧専用の特別なソフトウェアを用いることなく、ＶｉｄｅｏＣＤに準拠した一般の再生装置によって、指定された順序で画像を閲覧することができる。
【０００３】
参考技術として、従来、原画像、および、表示用に原画像の解像度を低下させた表示用画像とを記録するシステムにおいて、原画像に対して行われた加工の処理内容を、表示用画像を格納するファイル内の管理領域に記録する技術が提案されている（特許文献１参照。）。この技術によれば、加工後の原画像を記録装置から読み出すことなく、加工後の原画像のイメージを表示用画像から捉えることができる。また、サーバ装置に原画像を格納し、それに対応する表示用画像をクライアント装置で表示して編集するシステムが提案されている（特許文献２参照。）。このシステムにおいて、クライアント装置は、原画像に対する編集操作の内容のみをサーバ装置に送信し、画像データ自体を送信しない。これにより、通信量を削減できる。
【特許文献１】特開２００１−２９７３２０号公報
【特許文献２】特開平１０−３１３３９９号公報
【発明の開示】
【発明が解決しようとする課題】
【０００４】
しかしながら、ＶｉｄｅｏＣＤ規格等に準拠した動画データを変更するには、その変更が１枚の静止画像のみに対するものであっても、動画データ全体を書き換えなければならない。このため、画像の編集や並べ替えに多くの処理時間を要してしまう。また、ＣＤ−ＲやＤＶＤ−／＋Ｒ等のライトワンス式のメディアにおいては、一旦記録されたデータを変更することはできず、既に記録されたデータを無効化した上で新たなデータを追記することで変更と同様の効果を得ることができる。このため、このようなメディアに上述の動画データを記録した場合において、その動画データを変更すると、その変更が僅かであってもメディアの残り容量が大幅に少なくなってしまう。また、上述の参考技術によっても、原画像を編集する場合には原画像のデータ自体を変更しなければならないので、同一の画像を多様な見せ方で表示する複数のデジタルアルバムを実現することはできない。
【０００５】
そこで本発明は、上記の課題を解決することのできる撮像装置および制御方法を提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態においては、撮像した複数の原画像と、複数の原画像を再生装置により表示させる順序を記録したアルバム情報ファイルとのそれぞれを、別個のファイルとして記録媒体に記録する撮像装置であって、被写体を撮像して原画像を生成する撮像部と、複数の原画像を表示する表示順序を利用者から入力する入力部と、入力部により入力された表示順序をアルバム情報ファイルとして記録するファイル記録部と、原画像の出力要求に応じて原画像およびアルバム情報ファイルの組を出力して、記録媒体に記録させる画像出力部とを備える撮像装置を提供する。
【０００７】
また、記録媒体は、複数の原画像と、アルバム情報ファイルとのそれぞれを、別個のファイルとして記録媒体に記録させるＰｉｃｔｕｒｅ  Ａｒｃｈｉｖｅ  Ａｎｄ  Ｓｈａｒｉｎｇ  Ｓｙｓｔｅｍ規格に準拠しており、画像出力部は、原画像およびアルバム情報ファイルを出力し、Ｐｉｃｔｕｒｅ  Ａｒｃｈｉｖｅ  Ａｎｄ  Ｓｈａｒｉｎｇ  Ｓｙｓｔｅｍ規格に準拠したフォーマットで記録媒体に記録させてもよい。
また、ファイル記録部は、入力部が原画像の並べ替え操作を入力したことに応じて、並べ替え後の原画像の表示順序を示すアルバム情報ファイルを記録してもよい。
【０００８】
また、ファイル記録部は、入力部が原画像の選択操作を入力したことに応じて、当該選択操作により選択された原画像へのパスを含むアルバム情報ファイルを記録し、画像出力部は、選択された原画像および選択されていない原画像を含む複数の原画像と、選択された原画像の表示順序を記録したアルバム情報ファイルとを、記録媒体に記録するべく出力してもよい。
また、入力部がトリミング操作または回転操作を入力したことに応じて、入力された操作に基づいて原画像を変換する画像変換部を更に備え、画像出力部は、画像変換部により変換された原画像を出力してもよい。
また、原画像を分類したグループ毎に当該グループに含まれる原画像を順次表示する旨を記録した、複数のアルバム情報ファイルの各々を生成するファイル生成部を更に備え、画像出力部は、ファイル生成部により生成された複数のアルバム情報ファイル、および、複数の画像を出力してもよい。
【０００９】
また、複数の原画像の各々について、当該原画像をより低い解像度に変換した表示用画像を生成する表示用画像生成部と、表示用画像生成部により生成された表示用画像を表示する表示用画像表示部と、表示用画像表示部により表示された一の表示用画像を指定して入力部により編集操作が入力された場合に、当該一の表示用画像を変換して表示用画像表示部に表示させる表示用画像変換部とを更に備え、ファイル記録部は、入力部により入力された編集操作を、一の表示用画像に対応する原画像に対する編集操作としてアルバム情報ファイルに記録してもよい。
また、画像出力部は、出力要求に基づき出力すべき原画像のうち、既に記録媒体に記録されている原画像を除外したその他の原画像を出力し、出力要求に基づき出力すべき原画像のうち既に記録媒体に記録されている原画像へのパスを、アルバム情報ファイルに含めて出力してもよい。
【００１０】
本発明の第２の形態においては、撮像した複数の原画像と、複数の原画像を再生装置により表示させる順序を記録したアルバム情報ファイルとのそれぞれを、別個のファイルとして記録媒体に記録する撮像装置の制御方法であって、被写体を撮像して原画像を生成する段階と、複数の原画像を表示する表示順序を利用者から入力する段階と、入力された表示順序をアルバム情報ファイルとして記録する段階と、原画像の出力要求に応じて原画像およびアルバム情報ファイルの組を出力して、記録媒体に記録させる段階とを備える制御方法を提供する。
なお、上記の発明の概要は、本発明の必要な特徴の全てを列挙したものではなく、これらの特徴群のサブコンビネーションもまた、発明となりうる。
【発明の効果】
【００１１】
本発明によれば、記録媒体に記録する複数の画像に対して、その表示順序を並べ替える等の各種の編集処理を行った場合において、これまでより処理時間を短縮し、かつ記録媒体の必要容量を小さくすることができる。
【発明を実施するための最良の形態】
【００１２】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１３】
図１は、本実施例に係る撮像画像記録システム１０の全体構成を示す。撮像画像記録システム１０は、撮像装置２０と、記録媒体３０とを備える。撮像装置２０は、例えばデジタルカメラ等であって、利用者から操作を受ける毎に被写体を撮像して原画像の画像データを生成する。そして、撮像装置２０は、撮像した複数の原画像と、それら複数の原画像を再生装置により表示させる表示順序を記録したアルバム情報ファイルとのそれぞれを、別個のファイルとして記録媒体３０に記録する。これにより、既に記録媒体３０に記録された原画像の表示順序を変更する場合において、その原画像自体を格納したファイルの変更を不要とすることを目的とする。
【００１４】
また、撮像装置２０は、原画像を分類したグループ毎にそのグループに含まれる原画像を順次表示する旨をアルバム情報ファイルに記録して、複数のグループに対応する複数のアルバム情報ファイルを記録媒体３０に記録する。これにより、複数のグループに同一の画像が含まれる場合であっても、グループ毎にその画像を記録することを不要とし、記録媒体３０の必要容量を低減することを他の目的とする。
【００１５】
また、撮像装置２０は、原画像をより低い解像度に変換した表示用画像を生成し、記録媒体３０に記録する。そして、撮像装置２０は、利用者から原画像に対する編集操作を入力した場合に、その原画像に対応する表示用画像のみを編集し、原画像は編集することなく編集操作の内容をアルバム情報ファイルに格納する。これにより、編集操作が反映された表示用画像を高速に表示させると共に、原画像およびそれに対する編集操作の内容は撮像装置２０に効率的に記録させることを目的とする。
【００１６】
図２は、本実施例に係る記録媒体３０のディレクトリ構成及びファイル構成の一例を示す。本実施形態に係る記録媒体３０は、撮像された複数の原画像と、アルバム情報ファイルとのそれぞれを、別個のファイルとして記録媒体に記録させる規格に準拠している。この規格は、Ｐｉｃｔｕｒｅ  Ａｒｃｈｉｖｅ  Ａｎｄ  Ｓｈａｒｉｎｇ  Ｓｙｓｔｅｍ規格と呼ばれ、出願人を含む複数の同業事業者によって策定された統一規格である。具体的には、記録媒体３０は、ルートディレクトリの直下に、アセットディレクトリ３００、アルバムディレクトリ３３０、およびインデックスファイル３４０を格納している。アセットディレクトリ３００は、撮像された原画像のデータを、複数のアセットロールディレクトリ（３１０ａ及び３１０ｂ。以降３１０として表記）に格納している。なお、本図において、アセットディレクトリ３００は、２つのアセットロールディレクトリ３１０を格納しているが、これに代えて、１つのみ、または３つ以上のアセットロールディレクトリ３１０を格納していてもよい。
【００１７】
アセットロールディレクトリ３１０ａは、複数の原画像３１２ａ、アセット情報ファイル３１４ａ、及び表示用画像ディレクトリ３１６ａを格納している。また、アセットロールディレクトリ３１０ａは、更に、録音された音声を格納していてもよい。複数の原画像３１２ａは、例えば、撮像装置２０によって撮像された静止画像や動画像であってよい。アセット情報ファイル３１４ａは、アセットロールディレクトリ３１０ａに格納されている複数の原画像３１２ａのそれぞれへのパスを格納している。表示用画像ディレクトリ３１６ａは、アセットロールディレクトリ３１０ａの下位に位置すると共に、複数の表示用画像３１８ａを格納している。複数の表示用画像３１８ａは、複数の原画像３１２に代えて表示される画像であり、例えば、複数の原画像の解像度を下げることによって生成された画像であってよい。なお、アセットロールディレクトリ３１０ａは、表示用画像における解像度や縦横比等が異なる、複数の表示用画像ディレクトリを格納していてもよい。これにより、表示用画像を表示する場合に利用する表示装置や表示方法毎に解像度や縦横比が異なる場合であっても、当該表示装置や表示方法に適した、表示品質の高い画像を表示することができる。また、アセット情報ファイル３１４ａは、複数の表示用画像３１８ａのそれぞれへのパスを更に格納している。
【００１８】
アセットロールディレクトリ３１０ｂは、複数の原画像３１２ｂ、アセット情報ファイル３１４ｂ、及び複数の表示用画像３１８ｂが格納されている表示用画像ディレクトリ３１６ｂを格納している。本例に示すように、記録媒体３０は、複数の原画像を、複数のアセットロールディレクトリ３１０に分類して格納することができる。
【００１９】
アルバムディレクトリ３３０は、複数のアルバム情報ファイル３３２を格納している。アルバム情報ファイル３３２は、原画像を分類したグループ毎に設けられる。そして、各々のアルバム情報ファイル３３２は、記録媒体３０に記録された複数の原画像（３１２ａ及び３１２ｂ。以降３１２と表記）のうち、当該アルバム情報ファイルに対応するグループに含まれる原画像の表示順序を定める。具体的には、アルバム情報ファイル３３２は、表示すべき原画像へのパスを格納しているアセット情報ファイル（３１４ａ及び３１４ｂ。以降３１４と表記）へのパス、及び当該表示すべき原画像のそれぞれを識別する画像識別子を、表示順序に従って格納していてよい。なお、この場合、アセット情報ファイル３１４は、複数の原画像３１２のそれぞれへのパスと、当該原画像を識別する画像識別子とを、対応付けて格納していてよい。
【００２０】
インデックスファイル３４０は、複数のアセット情報ファイル３１４のそれぞれへのパス、及び複数のアルバム情報ファイル３３２へのパスを格納している。なお、インデックスファイル３４０は、記録媒体３０毎に異なることのない、予め定められたパスに記録されている。具体的には、インデックスファイル３４０は、記録媒体３０のルートディレクトリの直下に、"ＰＡＳＳＩＤＸ．ＰＶＭ"というファイル名で記録されていてよい。
【００２１】
なお、本図に示したアセットディレクトリ３００、アセットロールディレクトリ３１０、複数の原画像３１２、アセット情報ファイル３１４、表示用画像ディレクトリ（３１６ａ及び３１６ｂ。以降３１６と表記）、複数の表示用画像３１８、アルバムディレクトリ３３０、並びに複数のアルバム情報ファイル３３２の少なくとも一部は、例えば利用者等によって予め定められた記録媒体３０のフォーマットによって異なっていてよい。ここで、記録媒体３０のフォーマットとは、例えば、Ｆｕｊｉｃｏｌｏｒ（登録商標）ＣＤ、ＰｉｃｔｕｒｅＣＤ（登録商標）、及びＨｏｔＡｌｂｕｍ（登録商標）等であってよい。
なお、アセットロールディレクトリ３１０は、複数の記録媒体３０のそれぞれが有するアセットロールディレクトリ３１０のそれぞれを識別可能なディレクトリ名を有していてよい。また、同様にして、記録媒体３０に格納されている、複数の原画像３１２、アセット情報ファイル３１４、表示用画像ディレクトリ３１６、複数の表示用画像３１８、アルバムディレクトリ３３０、及び複数のアルバム情報ファイル３３２の少なくとも一部も、複数の記録媒体３０のそれぞれが備えるそれぞれのファイル及びディレクトリを識別可能な名称を有していてよい。
【００２２】
以上、本図で説明した構成によれば、複数の画像を１組だけ記録媒体３０に記録しておけば、複数のアルバム情報ファイル３３２によって複数のデジタルアルバムを実現し、同じ画像を様々な見せ方で表示することができる。更に、原画像とアルバム情報ファイルとを別個のファイルとして記録することから、画像の順序を並べ替えた場合であっても原画像自体のデータを変更する必要がない。これにより後で再編集して別個のアルバムを生成することが容易に実現できる。
【００２３】
図３は、本実施例に係る撮像装置２０の機能を機能ブロックに分類して示す。撮像装置２０は、撮像部２００と、入力部２１０と、ファイル生成部２２０と、ファイル記録部２３０と、画像変換部２４０と、画像出力部２５０と、表示用画像生成部２６０と、表示用画像変換部２７０と、表示用画像表示部２８０とを有する。撮像部２００は、被写体を撮像して原画像を生成し、生成した原画像を画像変換部２４０および表示用画像生成部２６０に出力する。入力部２１０は、原画像に対する編集操作を利用者から入力する。例えば、入力部２１０は、複数の原画像を表示する表示順序を利用者から入力してもよいし、原画像を表示する順序を並べ替える並べ替え操作を入力してもよいし、原画像に対するトリミング操作又は回転操作を入力してもよい。また、入力部２１０は、原画像を分類したグループを新たに生成する旨の操作を入力してもよい。
【００２４】
ファイル生成部２２０は、原画像を分類したグループ毎に、当該グループに含まれる原画像を順次表示する旨を記録した、複数のアルバム情報ファイルの各々を生成する。具体的には、ファイル生成部２２０は、グループを新たに生成する旨の操作を入力する毎に、そのグループに対するアルバム情報ファイルを生成する。このアルバム情報ファイルは、初期状態においては何れの原画像についてもその表示順序を指定していない空のファイルであってもよい。
【００２５】
ファイル記録部２３０は、入力部２１０により入力された編集操作を格納したアルバム情報ファイルを記録する。具体的には、ファイル記録部２３０は、ファイル生成部２２０により生成されたアルバム情報ファイルを記録し、その後に入力部２１０により順次入力される編集操作を、そのアルバム情報ファイルに順次格納する。より詳細には、ファイル記録部２３０は、入力部２１０が原画像の選択操作を入力したことに応じて、当該選択操作により選択された原画像へのパスを含むアルバム情報ファイルを記録する。また、入力部２１０により入力された原画像の表示順序をアルバム情報ファイルとして記録してもよい。更に、ファイル記録部２３０は、入力部２１０が原画像の並べ替え操作を入力したことに応じて、並べ替え後の原画像の表示順序を示すアルバム情報ファイルを記録してもよい。
【００２６】
画像変換部２４０は、入力部２１０が原画像に対するトリミング操作又は回転操作を入力したことに応じて、入力された当該操作に基づいて原画像を変換する。画像出力部２５０は、Ｐｉｃｔｕｒｅ  Ａｒｃｈｉｖｅ  Ａｎｄ  Ｓｈａｒｉｎｇ  Ｓｙｓｔｅｍ規格に準拠したフォーマットで、原画像およびアルバム情報ファイルを記録媒体３０に記録する。具体的には、画像出力部２５０は、利用者から指定された画像の出力要求に応じて、撮像部２００により撮像された複数の原画像を出力する。これらの原画像は、入力部２１０により入力された選択操作により選択された原画像、および、当該選択操作により選択されていない原画像の双方を含む。また、画像出力部２５０は、アルバム情報ファイルをファイル記録部２３０から読み出して出力し、撮像装置２０に記録させる。このアルバム情報ファイルは、ファイル生成部２２０により生成され、入力部２１０により入力された選択操作により選択された原画像の表示順序を格納している。
【００２７】
表示用画像生成部２６０は、撮像部２００により撮像された原画像、または、既に記録媒体３０に記録された原画像を取得する。表示用画像生成部２６０は、複数の原画像の各々について、その原画像をより低い解像度に変換した表示用画像を生成する。そして、表示用画像表示部２８０は、表示用画像生成部２６０により生成された複数の表示用画像を、例えば利用者からの指示に応じて画面に表示する。表示用画像変換部２７０は、表示用画像表示部２８０により表示された一の表示用画像を指定して入力部２１０により編集操作が入力された場合に、当該一の表示用画像をその編集操作に基づいて変換して表示用画像表示部２８０に表示させる。この場合、ファイル記録部２３０は、当該編集操作を、当該一の表示用画像に対応する原画像に対する編集操作としてアルバム情報ファイルに記録する。このように、編集操作は表示用画像に直ちに反映され、利用者は編集結果を適切に知ることができる一方で、編集操作の内容はアルバム情報ファイルとして原画像とは別個のファイルに記録される。
【００２８】
図４は、本実施例に係る撮像装置２０により被写体を撮像する処理の一例を示す。撮像部２００は、利用者から撮像操作を受けた場合に、被写体から受けた光を感光素子で捉えることにより被写体を撮像する（Ｓ４００）。そして、撮像部２００は、感光素子が受けた光の像を原画像のデータとして生成する（Ｓ４１０）。表示用画像生成部２６０は、複数の原画像の各々について、当該原画像をより低い解像度に変換した表示用画像を生成する（Ｓ４２０）。
【００２９】
図５は、本実施例に係る撮像装置２０により撮像された画像が編集されて出力される処理の一例を示す。入力部２１０は、原画像に対する編集操作を利用者から入力する（Ｓ５００）。入力した編集操作が、原画像を分類したグループを新たに生成する旨の操作である場合に（Ｓ５１０：ＹＥＳ）、ファイル生成部２２０は、当該グループに対応するアルバム情報ファイルを生成し（Ｓ５２０）、本図の処理を終了する。
【００３０】
入力した編集操作が、グループに含める原画像を選択する選択操作である場合に（Ｓ５１０：ＮＯ，Ｓ５３０：ＹＥＳ）、ファイル記録部２３０は、当該選択操作により選択された原画像へのパスを、当該グループに対応するアルバム情報ファイルに含めて記録する（Ｓ５４０）。一方で、入力した編集操作が、グループ内の原画像を並べ替える操作である場合に（Ｓ５３０：ＮＯ，Ｓ５５０：ＹＥＳ）、ファイル記録部２３０は、並べ替え後の原画像の表示順序を示すアルバム情報ファイルを記録するように、アルバム情報ファイルを更新する（Ｓ５６０）。
【００３１】
一方で、入力した編集操作が、その他の操作、例えば原画像のトリミング操作又は回転操作である場合には（Ｓ５５０：ＮＯ）、画像変換部２４０は、当該操作の対象として指定された原画像を、入力された当該操作に基づいて変換する（Ｓ５７０）。そして、何れの操作を入力した場合においても、表示用画像変換部２７０は、編集対象の原画像に対応する表示用画像を、入力した当該操作に基づいて変換する（Ｓ５８０）。これに代えて、画像変換部２４０は、トリミング操作又は回転操作を入力した場合であっても、原画像自体を変更しなくてもよい。この場合、ファイル記録部２３０は、これらの操作の内容をアルバム情報ファイルに記録する。このように、撮像装置２０は、アルバム情報ファイルのフォーマットを定める規格に基づいて、原画像に対する変換、および、アルバム情報ファイルの更新の何れかの処理を選択的に実行してもよい。
【００３２】
そして、画像出力部２５０は、利用者から受けた画像の出力要求に応じて、操作の対象となった原画像、およびその他の原画像を含む、撮像部２００により撮像された複数の画像を出力し、各々のグループに対応するアルバム情報ファイルを出力する（Ｓ５９０）。なお、画像出力部２５０は、出力要求に基づき出力すべき原画像のうち、既に記録媒体３０に記録されている原画像を除外したその他の原画像のみを出力し、既に記録媒体３０に記録されている原画像と同一の原画像を出力しない。そして、画像出力部２５０は、既に記録媒体３０に記録されている原画像と同一の原画像を再度出力するのに代えて、既に記録媒体３０に記録されている当該原画像へのパスを、アルバム情報ファイルに含めて出力する（Ｓ５９０）。これにより、記録媒体３０に書込むデータのサイズを小さくでき、かつ、記録媒体３０の必要容量を小さくできる。
【００３３】
以上、本実施例に示す撮像装置２０によれば、画像を分類した複数のグループに同一の画像が含まれる場合であっても、グループ毎にその画像を記録することを不要とし、記録媒体３０の必要容量を低減することができる。また、既に記録媒体３０に記録した画像の表示順序を変更する場合であっても、記録媒体３０に記録した画像全体の変更を不要とすることができる。これにより、追記のみが可能で書換できないＤＶＤ−Ｒ等の記録媒体に画像を記録する場合であっても、画像に対する編集操作のみを追記することで画像を編集することができる。更に、画像の編集用に、解像度を低下させた表示用画像を生成することで、原画像を直接変更することなく編集結果を確認することができる。
【００３４】
また、本実施例に示す撮像装置２０は、上記のように効率的な編集操作を撮像装置において可能とすることで、利用者が画像を撮像しながら、撮像時の記憶が失われないうちに直ちにそれを編集するといった作業が効率的に行える。例えば、運動会、入学・卒業式、講演会等の集会、又はその他の行事においては、その行事を象徴する被写体を、その行事の後に撮像することがある。例えば、運動会の開催場所の入り口に掲げられた標識は、初めに撮像し忘れて帰りに撮像する場合も多い。一方で、このように撮像された画像は、撮像の順序に関わらず、その行事で撮像された一連の画像群よりも先に表示させたいことが多い。本実施例に示す撮像装置２０は、このように画像の順序を入替える場合であっても、記録媒体３０に対して効率的に画像を記録できる。
【００３５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３６】
【図１】図１は、本実施例に係る撮像画像記録システム１０の全体構成を示す。
【図２】図２は、本実施例に係る記録媒体３０のディレクトリ構成及びファイル構成の一例を示す。
【図３】図３は、本実施例に係る撮像装置２０の機能を機能ブロックに分類して示す。
【図４】図４は、本実施例に係る撮像装置２０により被写体を撮像する処理の一例を示す。
【図５】図５は、本実施例に係る撮像装置２０により撮像された画像が編集されて出力される処理の一例を示す。
【符号の説明】
【００３７】
１０  撮像画像記録システム
２０  撮像装置
３０  記録媒体
２００  撮像部
２１０  入力部
２２０  ファイル生成部
２３０  ファイル記録部
２４０  画像変換部
２５０  画像出力部
２６０  表示用画像生成部
２７０  表示用画像変換部
２８０  表示用画像表示部
３００  アセットディレクトリ
３１０  アセットロールディレクトリ
３１６  表示用画像ディレクトリ
３１８  表示用画像
３３０  アルバムディレクトリ
３３２  アルバム情報ファイル
３４０  インデックスファイル
【図１】
2006311146.tif 000003
【図２】
2006311146.tif 000004
【図３】
2006311146.tif 000005
【図４】
2006311146.tif 000006
【図５】
2006311146.tif 000007